(57)【要約】【課題】ユーザが好みの画像をシーン毎に設定することが可能な画像処理装置を提供する。【解決手段】本技術の画像処理装置は、認識可能な画像のシーン毎に、ユーザからの指示に応じて画質を設定する画質設定部と、各シーンに対して設定された画質を記憶する画質記憶部と、取得する画像のシーンを認識する画像認識部と、認識されたシーンに対して、画質設定部により設定された画質に基づいて、画像を画像処理する画像処理部と、を備える。【選択図】図１
2013162436.tif 000002
【特許請求の範囲】
【請求項１】
認識可能な画像のシーン毎に、ユーザからの指示に応じて画質を設定する画質設定部と、
前記各シーンに対して設定された画質を記憶する画質記憶部と、
取得する画像のシーンを認識する画像認識部と、
認識されたシーンに対して、前記画質設定部により設定された画質に基づいて、前記画像を画像処理する画像処理部と、
を備える、画像処理装置。
【請求項２】
前記画質設定部は、
認識可能な前記各シーンについて、少なくとも１つの画質の構成要素を設定する設定処理部と、
設定された画質で各シーンの代表画像を表示する設定処理部と、
からなる、請求項１に記載の画像処理装置。
【請求項３】
前記設定処理部は、
前記画質の構成要素について、設定値を変化させた複数の変更候補画像を表示し、
前記複数の変更候補画像から選択された前記変更候補画像の設定値を、当該画質の構成要素の設定値として決定する、請求項２に記載の画像処理装置。
【請求項４】
前記設定処理部は、２つの画質の構成要素の設定値を変化させた、複数の変更候補画像をマトリックス状に配置して表示する、請求項３に記載の画像処理装置。
【請求項５】
前記設定処理部は、前記構成要素設定部で設定された設定値に基づいて、リアルタイムで前記代表画像を更新する、請求項２に記載の画像処理装置。
【請求項６】
画像を撮影する撮像部をさらに備え、
前記画像処理部により画像処理される画像は、前記撮像部により撮影された画像である、請求項１に記載の画像処理装置。
【請求項７】
認識可能な画像のシーン毎に、ユーザからの指示に応じて画質を設定するステップと、
取得する画像のシーンを認識するステップと、
認識されたシーンに対して設定された画質に基づいて、前記画像を画像処理するステップと、
を含む、画像処理方法。
【請求項８】
コンピュータを、
認識可能な画像のシーン毎に、ユーザからの指示に応じて画質を設定し、前記各シーンに対して設定された画質を記憶する画質記憶部に記録する画質設定部と、
取得する画像のシーンを認識する画像認識部と、
認識されたシーンに対して、前記画質設定部により設定された画質に基づいて、前記画像を画像処理する画像処理部と、
を備える、画像処理装置として機能させるコンピュータプログラム。
【請求項９】
コンピュータに、
認識可能な画像のシーン毎に、ユーザからの指示に応じて画質を設定し、前記各シーンに対して設定された画質を記憶する画質記憶部に記録する画質設定部と、
取得する画像のシーンを認識する画像認識部と、
認識されたシーンに対して、前記画質設定部により設定された画質に基づいて、前記画像を画像処理する画像処理部と、
を備える画像処理装置として機能させるためのプログラムを記憶したコンピュータ読み取り可能な記録媒体。
【発明の詳細な説明】
【技術分野】
【０００１】
本開示は、画像処理装置、画像処理方法、コンピュータプログラムおよびコンピュータ読み取り可能な記録媒体に関する。
【背景技術】
【０００２】
近年、撮影される被写体の状態を認識可能な撮像装置が増加している。このような撮像装置は、風景や人物、夜景等のような撮影する各シーンに応じて、予め設定されたカメラ制御や信号処理を行う。
【先行技術文献】
【特許文献】
【０００３】
【特許文献１】特開２０００−６９４１６号公報
【特許文献２】特開２００９−１９４４３７号公報
【発明の概要】
【発明が解決しようとする課題】
【０００４】
しかし、従来の撮像装置で予め設定されているカメラ制御や信号処理は、ユーザの意図を反映したものではなく、各撮像装置メーカーの設計者によって設計されたものに過ぎない。例えば特許文献１には、ユーザが指定手段によって好みの画像の生成イメージを指定することで、そのイメージを有する画像を取得できるデジタルカメラが開示されている。しかしながら、特許文献１に記載のデジタルカメラでは、すべてのシーンにおいて同一イメージの画像が取得され、シーン毎にユーザの好みを設定することはできなかった。
【０００５】
そこで、本開示では、ユーザが好みの画像をシーン毎に設定することが可能な、新規かつ改良された画像処理装置、画像処理方法、コンピュータプログラムおよびコンピュータ読み取り可能な記録媒体を提案する。
【課題を解決するための手段】
【０００６】
本開示のある観点によれば、認識可能な画像のシーン毎に、ユーザからの指示に応じて画質を設定する画質設定部と、各シーンに対して設定された画質を記憶する画質記憶部と、取得する画像のシーンを認識する画像認識部と、認識されたシーンに対して、画質設定部により設定された画質に基づいて、画像を画像処理する画像処理部と、を備える、画像処理装置が提供される。
【０００７】
また、本開示の別の観点によれば、認識可能な画像のシーン毎に、ユーザからの指示に応じて画質を設定するステップと、取得する画像のシーンを認識するステップと、認識されたシーンに対して設定された画質に基づいて、画像を画像処理するステップと、を含む、画像処理方法が提供される。
【０００８】
さらに、本開示の別の観点によれば、コンピュータを、認識可能な画像のシーン毎に、ユーザからの指示に応じて画質を設定し、各シーンに対して設定された画質を記憶する画質記憶部に記録する画質設定部と、取得する画像のシーンを認識する画像認識部と、認識されたシーンに対して、画質設定部により設定された画質に基づいて、画像を画像処理する画像処理部と、を備える、画像処理装置として機能させるコンピュータプログラムが提供される。
【０００９】
また、本開示の別の観点によれば、コンピュータに、認識可能な画像のシーン毎に、ユーザからの指示に応じて画質を設定し、各シーンに対して設定された画質を記憶する画質記憶部に記録する画質設定部と、取得する画像のシーンを認識する画像認識部と、認識されたシーンに対して、画質設定部により設定された画質に基づいて、画像を画像処理する画像処理部と、を備える画像処理装置として機能させるためのプログラムを記憶したコンピュータ読み取り可能な記録媒体が提供される。
【発明の効果】
【００１０】
以上説明したように本開示によれば、ユーザが好みの画像をシーン毎に設定することが可能となる。
【図面の簡単な説明】
【００１１】
【図１】本開示の実施形態に係る撮像装置の概略構成を示すブロック図である。
【図２】同実施形態に係る撮影装置の撮影処理を示すフローチャートである。
【図３】画像設定部における設定情報の設定処理を示す説明図である。
【図４】画質の構成要素を設定する設定画面の一例を示す説明図である。
【図５】画質の構成要素を設定する設定画面の他の一例を示す説明図である。
【図６】画質の構成要素を設定する設定画面の他の一例を示す説明図である。
【図７】本実施形態に係る撮像装置の一ハードウェア構成例を示すブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．撮像装置の概略構成
２．撮像装置の撮影処理
２−１．画質の設定処理
２−２．撮影時の画像取得処理
３．ハードウェア構成例
【００１４】
＜１．撮像装置の概略構成＞
まず、図１を参照して、本開示の実施形態に係る撮像装置１００の概略構成について説明する。なお、図１は、本実施形態に係る撮像装置１００の概略構成を示すブロック図である。
【００１５】
本実施形態に係る撮像装置１００は、例えばデジタルスチルカメラやカムコーダ等の映像記録装置である。撮像装置１００は、図１に示すように、撮像素子１０１と、Ａ／Ｄ変換部１０２と、画像認識ブロック１０３と、画像処理ブロック１０４と、表示部１０５と、カメラ制御ブロック１０６と、駆動制御部１０７とを備える。さらに、撮像装置１００は、画質設定部１０８と、画質記憶部１０９とを備える。
【００１６】
撮像素子１０１は、レンズ１０によって集光された被写体の光が結像される素子である。撮像素子１０１として、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサやＣＣＤ（Ｃｈａｒｇｅ  Ｃｏｕｐｌｅｄ  Ｄｅｖｉｃｅ）イメージセンサ等を用いることができる。撮像素子１０１は、当該素子に結像され画像となる光を電気に変換し、Ａ／Ｄ変換部１０２へ出力する。
【００１７】
Ａ／Ｄ変換部１０２は、撮像素子１０１から得られるアナログ情報をデジタル情報に変換し、画像認識ブロック１０３へ出力する。
【００１８】
画像認識ブロック１０３は、Ａ／Ｄ変換部１０２から入力されたデジタル情報を検波して、ユーザがどのようなシーンで撮影しているかを認識するシーン認識部１０３ａと、認識したシーンに対応する画質の設定情報を取得する設定情報取得部１０３ｂとからなる。画像認識ブロック１０３により認識されるシーンとしては、例えば、顔や風景、夜景、ビーチ、スノー（ゲレンデや雪景色）等がある。画像認識ブロック１０３は、シーン認識部１０３ａで認識した画像のシーンに基づいて、設定情報取得部１０３ｂにより後述する画質記憶部１０９から画質の構成要素の設定値を取得し、画像処理ブロック１０４へデジタル情報とともに出力する。
【００１９】
画像処理ブロック１０４は、画像認識ブロック１０３にて取得されたシーンに応じた画質の設定値で、信号処理を行う。画像処理ブロック１０４では、例えば、階調表現や色再現（彩度や色相）、ホワイトバランス、輪郭強調、ノイズリダクション等の処理が行われる。画像処理ブロック１０４は、信号処理して得られた画像を表示部１０５に表示する。
【００２０】
表示部１０５は、画像を表示する出力部であり、例えば、液晶ディスプレイや有機ＥＬディスプレイ等を用いることができる。
【００２１】
カメラ制御ブロック１０６は、画像認識ブロック１０３にて取得されたシーンに応じた画質の設定値で、露光制御や絞り制御等のカメラ制御を行う。カメラ制御ブロック１０６は、レンズ１０等を制御する制御情報を駆動制御部１０７へ出力する。駆動制御部１０７は、カメラ制御ブロック１０６から入力された制御情報に基づいて、レンズ１０等を駆動する駆動部（図示せず。）を制御する。カメラ制御ブロック１０６および駆動制御部１０７は、リアルタイム処理を行う。
【００２２】
画質設定部１０８は、撮像装置１００によって認識可能なシーン毎に、ユーザからの指示に応じてユーザの好みの画質を設定する入力設定部である。画質設定部１０８は、例えばタッチパネル等の入力部１０８ａと、入力部１０８ａからの入力情報に基づき各シーンの画質を設定して後述する画質記憶部１０９に記録する設定処理部１０８ｂとから構成することができる。画質設定部１０８により設定された画質に基づいて、画像処理ブロック１０４は画像処理する。また、画質設定部１０８により設定された画質に基づいて、カメラ制御ブロック１０６はカメラ制御する。
【００２３】
画質記憶部１０９は、画質設定部１０８にて設定されたシーン毎の画質の設定情報を記憶する。また、画質記憶部１０９は、ユーザ毎に各シーンの画質の設定情報を記憶することもできる。画質記憶部１０９に記憶された画質の設定情報は、画像認識ブロック１０３により取得され、画像処理ブロック１０４での信号処理およびカメラ制御ブロック１０６でのカメラ制御に利用される。なお、画質記憶部１０９は、ユーザが設定した各シーンの画質の設定情報とともに、撮像装置１００で予め設定されている画質の設定情報（デフォルト値）を記憶している。デフォルト値は、撮像装置１００でシーン認識できなかった場合等の画質の設定に用いられる。
【００２４】
＜２．撮像装置の撮影処理＞
次に、本実施形態に係る撮像装置１００の撮影処理を説明する。本実施形態に係る撮像装置１００は、認識可能なシーン毎に、ユーザが好みの画像を設定することができ、撮影した画像から認識されるシーンに応じて、設定された画質で画像を取得することができる。このため、まず、ユーザは、撮像装置１００で認識可能な各シーンについて画質を設定する。撮像装置１００は、撮影時、被写体を認識し、画質が設定されたシーンについてはその設定に基づいて画像を取得する。
【００２５】
以下、図２〜図６に基づいて、撮像装置１００の撮影処理である画質の設定処理および撮影時の画像取得処理について説明する。なお、図２は、本実施形態に係る撮影装置１００の撮影処理を示すフローチャートである。図３は、画像設定部１０８における設定情報の設定処理を示す説明図である。図４は、画質の構成要素を設定する設定画面の一例を示す説明図である。図５および図６は、画質の構成要素を設定する設定画面の他の一例を示す説明図である。
【００２６】
［２−１．画質の設定処理］
まず、各シーンの画質の構成要素を設定する設定処理（Ｓ１０１、Ｓ１０２）について説明する。この設定処理は、図２に示すように、撮影前に予め行われる。ユーザは、まず、撮像装置１００の画質設定部１０８により、撮像装置１００で認識可能なシーン毎に好みの画像を設定する（Ｓ１０１）。認識可能なシーンとしては、上述したように、例えば、顔や風景、夜景、ビーチ、スノー（ゲレンデや雪景色）等がある。また、画像の構成要素としては、例えば、明るさ、コントラスト、彩度、ホワイトバランス、輪郭強調、ノイズリダクション等がある。
【００２７】
具体的には、例えば図３に示す操作画面２００において、撮像装置１００に入力部１０８ａとして設けられたタッチパネルを用いて画像の構成要素を設定できる。図３に示すタッチパネルは表示部１０５上に設けられており、ユーザは、表示部１０５に表示された表示画面２００の各オブジェクトに接触して操作することで接触位置や入力操作に応じた処理を実行することができる。
【００２８】
図３の操作画面２００では、画質の設定に際し撮像装置１００で認識可能な各シーンを選択するためのシーン選択部２１０と、設定する画質の構成要素を選択するための構成要素選択部２２０と、が設けられている。また、操作画面２００は、設定中のシーンの代表画像を示す代表画像表示エリア２３０と、設定する画質の構成要素を調整する調整パレット２４０とが設けられている。
【００２９】
シーン選択部２１０は、設定するシーンを選択するためのシーンボタンからなる。シーンボタンは、図３に示すように、例えば、風景の画質を設定する際に選択する「風景」ボタン（２１０ａ）や人物の画質を設定する際に選択する「人物」ボタン（２１０ｂ）がある。これ以外にも、その他のシーンに対応する「ＳＣＮ  Ａ」ボタン（２１０ｃ）、「ＳＣＮ  Ｂ」ボタン（２１０ｄ）を設けることができる。その他のシーンとしては、上述したように例えば夜景やビーチ等がある。
【００３０】
構成要素選択部２２０は、設定する画質の構成要素を選択するための設定項目ボタンからなる。設定項目ボタンは、図３に示すように、例えば、「項目Ａ」ボタン２２０ａ、「項目Ｂ」ボタン２２０ｂ、「項目Ｃ」ボタン２２０ｃからなる。本実施形態では各設定項目で、２つの構成要素を同時に調整することができる。例えば、項目Ａでは明るさとコントラストとを調整でき、項目Ｂでは彩度とホワイトバランスとを調整でき、項目Ｃでは輪郭強調とノイズリダクションとを調整できる。画質の構成要素の調整は、後述する調整パレット２４０で行われる。なお、構成要素選択部２２０は、本技術はかかる例に限定されず、各設定項目で１つの構成要素のみを調整できるようにするものであってもよく、３つ以上の項目を同時に調整できるものであってもよい。
【００３１】
代表画像表示エリア２３０は、各シーンの代表画像を表示する領域である。代表画像は、予め登録されている各シーンの一般的な画像であり、各シーンの画質を設定する際に画質の変更によって取得される画像のイメージをユーザに通知するために利用される。代表画像表示エリア２３０の画像は、画質の構成要素の設定の変更に応じて、設定処理部１０８ｂにより変更される。
【００３２】
調整パレット２４０は、設定する画質の構成要素を調整するための入力エリアである。例えば、構成要素選択部２２０の各設定項目で２つの構成要素を同時に調整できるとき、調整パレット２４０は、図３に示すように、横軸と横軸とで各構成要素の設定値を割り当てた２次元座標として構成することができる。具体的には、例えば、「項目Ａ」を調整するとき、横軸に明るさの設定値が割り当てられ、縦軸にコントラストの設定値が割り当てられる。設定処理部１０８ｂは、ユーザが調整パレット２４０上で指定した位置に対応する画質の構成要素の設定値を取得し、当該設定値に基づいて代表画像表示エリア２３０に表示されている画像の画質をリアルタイムに変更する。
【００３３】
なお、図３に示す調整パレット２４０の代わりに、例えば図４に示す調整画面２５０を画質の調整時に表示してもよい。調整画面２５０は、図３の調整パレット２４０と同様に、構成要素選択部２２０の各設定項目で２つの構成要素を同時に調整できるとき、横軸と横軸とで各構成要素の設定値を割り当てた２次元座標として構成することができる。このとき、各構成要素の設定値を変更させた代表画像を複数パターン、マトリックス状に配置する。例えば、図４では、画像の明るさを設定する横軸では右に向かうほど明るい画像が、画像のコントラストを設定する縦軸では上に向かうほどコントラストが強い画像が、２次元座標に対応して配置されている。これにより、ユーザが設定値を調整する際に変更後の画像のイメージを理解し易くなり、操作性が向上する。
【００３４】
ユーザは、図３に示す操作画面２００において、画質を設定するシーンをシーン選択部２１０で選択し、選択したシーンで設定する画質の構成要素を構成要素選択部２２０で選択する。これにより、シーン選択部２１０で選択されたシーンに対する画質の構成要素を調整パレット２４０で調整することが可能となる。構成要素の設定値の決定は、例えば、ユーザがシーン選択部２１０の他のシーンボタンを押下したときや、構成要素選択部２２０の他の設定項目ボタンを押下したときに、変更の可否を確認するポップアップ画面を表示してユーザに変更の可否を決定させてもよい。あるいは、操作画面２００や調整画面２５０に、変更後の設定値を決定する決定ボタンや変更を取り消す取消ボタンを設けてもよい。
【００３５】
図２の説明に戻り、ステップＳ１０１にて、図３の操作画面２００や図４の調整画面２５０によりあるシーンの画質が設定され決定されると、設定処理部１０８ｂは、画像の各構成要素の変更後の設定値を、画質記憶部１０９に記録する（Ｓ１０２）。このとき画質記憶部１０９には、シーン毎に画質の構成要素の設定値が記憶される。
【００３６】
以上、各シーンの画質の構成要素を設定する設定処理について説明した。なお、各シーンの画質を設定する画質設定部１０８の入力部１０８ａとして、図３の操作画面２００や図４の調整画面２５０を示したが、本技術はかかる例に限定されない。例えば、図５に示すような操作画面３００や図６に示す調整画面４００により、各シーンの画質を調整することもできる。
【００３７】
図５に示す操作画面３００は、設定可能な各シーンの代表画像３１０ａ〜３１０ｄが表示されており、代表画像３１０ａ〜３１０ｄを選択することで、調整するシーンを決定することができる。操作画面３００には、図３と同様、設定する画質の構成要素を選択するための設定項目ボタンからなる構成要素選択部３２０が設けられており、選択されたシーンについて調整する画質の構成要素を設定項目ボタン３２０ａ〜３２０ｃで選択することができる。選択された画質の構成要素の調整についても、図３と同様、操作パレット３３０で行うことができる。ユーザが操作パレット３３０上で指定した位置に応じて、設定処理部１０８ｂは指定位置における各構成要素の設定値で、設定中のシーンの代表画像の画質を変更する。これにより、ユーザは、操作パレット３３０で操作しながら設定値を変更した場合の画像イメージを代表画像で確認することができる。
【００３８】
また、図６に示す調整画面４００では、画質の構成要素毎に、設定するシーンの代表画像について設定値を変化させた複数の変更候補画像４１０を表示し、複数の変更候補画像４１０から所望の画像イメージを選択することで、画質の設定を行う。例えば、明るさの調整画面４００ａ、コントラストの調整画面４００ｂ、彩度の調整画面４００ｃ、ホワイトバランスの調整願年４００ｄ、輪郭強調の調整画面４００ｅ、ノイズリダクションの調整画面４００ｆ等を順に表示し、各構成要素の設定値を順次決定していく。このとき、設定処理部１０８ｂは、設定値が決定した構成要素については、当該設定値を固定して、次の構成要素の調整画面４００で提示する変更候補画像４１０を生成する。
【００３９】
したがって、最初に画像の明るさを調整する場合には、明るさの調整画面４００ａに、設定するシーンの代表画像のデフォルト画像に対して明るさの設定値を変化させた複数の変更候補画像４１０が表示される。次いで、コントラストを設定する場合、コントラストの調整画面４００ｂには、明るさの調整画面４００ａで設定された明るさの設定値を固定して、コントラストの設定値を変化させた複数の変更候補画像４１０が表示される。このように順次各調整画面４００で各構成要素の設定値を決定することで、最終的に、ユーザが好む画質の設定情報が生成される。図６の調整画面４００での画質の設定は、シーン毎に行われる。
【００４０】
［２−２．撮影時の画像取得処理］
次に、撮影時の画像取得処理（Ｓ１１０〜Ｓ１１５）について説明する。撮影時、撮像装置１００は、まず、画像認識ブロック１０３のシーン認識部１０３ａにより撮影するシーンを認識するシーン認識処理を行っているか否かを判定する（Ｓ１１０）。シーン認識処理の実行の有無は、撮像装置１００で実行されている処理を管理する実行処理情報から判定することができる。
【００４１】
撮像装置１００がシーン認識処理を行っているとき、シーン認識部１０３ａは、被写体のシーンを認識する技術（例えば、上記特許文献２参照）を用いて、シーン認識処理にて撮影しようとしているシーンを判定する（Ｓ１１１）。特許文献２に記載のシーン認識技術は、設定された撮像パラメータに従って被写体を撮像して生成された撮像画像のＲ、Ｇ、Ｂの濃度値を抽出し、Ｒ、Ｇ、Ｂの濃度値の各平均値に基づいて被写体のシーン候補を判定するものである。
【００４２】
ステップＳ１１０にてシーン認識部１０３ａにより撮影しようとしているシーンが認識されれば、画僧認識ブロック１０３は、設定情報取得部１０３ｂにより、画質記憶部１０９から認識したシーンに対応する画質の設定情報を取得する。そして、設定情報取得部１０３は、取得した画質の設定情報を、画像処理ブロック１０４およびカメラ制御ブロック１０６へ出力する。その後、カメラ制御ブロック１０６は、入力された設定情報に基づいてカメラ制御を行い、被写体を撮影する（Ｓ１１２）。また、画像処理ブロック１０４は、入力された設定情報に基づいて画像の信号処理を行い、撮影しようとしている被写体の画像を表示部１０５に表示する（Ｓ１１３）。これにより、撮像装置１００は、シーン毎にユーザの好みを反映した画像を取得し提示することができる。
【００４３】
一方、ステップＳ１１０にてシーン認識部１０３ａにより撮影しようとしているシーンが認識されない場合、画僧認識ブロック１０３は、設定情報取得部１０３ｂにより、画質記憶部１０９から画質のデフォルト値を取得する。そして、設定情報取得部１０３は、取得した画質のデフォルト値を、画像処理ブロック１０４およびカメラ制御ブロック１０６へ出力する。その後、カメラ制御ブロック１０６は、入力されたデフォルト値に基づいてカメラ制御を行い、被写体を撮影する（Ｓ１１４）。また、画像処理ブロック１０４は、入力されたデフォルト値に基づいて画像の信号処理を行い、撮影しようとしている被写体の画像を表示部１０５に表示する（Ｓ１１５）。
【００４４】
以上、本実施形態に係る撮像装置１００による撮影処理について説明した。本実施形態に係る撮像装置１００によれば、シーン認識を行っているときには、シーン認識結果に応じて、ユーザにより予め設定された画質の設定情報に基づいて画像を取得することができる。したがって、シーン毎にユーザの好みを反映した画像を取得することが可能となる。
【００４５】
また、取得した画像の画像情報として、どのような好み（画質の設定）で撮影されたものかを関連付けておくと、撮影した画像がサーバ上にアップロードされた際に各シーンにおけるユーザの好みの傾向を把握することも可能となる。各シーンにおける画質の好みの傾向を収集して分析することで、撮像装置１００の画質のデフォルト値の決定等に利用することができる。
【００４６】
さらに、撮像装置１００に情報を送受信する通信部（図示せず。）を設け、異なる撮像装置１００間で、それぞれのユーザが設定した各シーンの画質の設定情報を通信可能としてもよい。これにより、他のユーザが撮影した画像で好みのものがあったとき、撮像装置１００間で当該シーンの画質の設定情報を送信してもらうことで、ユーザが画質設定部１０８で当該シーンの画質を設定する手間を省くことができる。
【００４７】
＜３．ハードウェア構成例＞
本実施形態に係る撮像装置１００による処理は、ハードウェアにより実行させることもでき、ソフトウェアによって実行させることもできる。この場合、撮像装置１００は、図７に示すように構成することもできる。以下、図７に基づいて、本実施形態に係る撮像装置１００の一ハードウェア構成例について説明する。
【００４８】
本実施形態に係る撮像装置１００は、上述したように、コンピュータ等の処理装置により実現することができる。撮像装置１００は、図７に示すように、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４ａとを備える。また、撮像装置１００は、ブリッジ９０４と、外部バス９０４ｂと、インタフェース９０５と、入力装置９０６と、出力装置９０７と、ストレージ装置（ＨＤＤ）９０８と、ドライブ９０９と、接続ポート９１１と、通信装置９１３とを備える。
【００４９】
ＣＰＵ９０１は、演算処理装置および制御装置として機能し、各種プログラムに従って撮像装置１００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバスなどから構成されるホストバス９０４ａにより相互に接続されている。
【００５０】
ホストバス９０４ａは、ブリッジ９０４を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０４ｂに接続されている。なお、必ずしもホストバス９０４ａ、ブリッジ９０４および外部バス９０４ｂを分離構成する必要はなく、一のバスにこれらの機能を実装してもよい。
【００５１】
入力装置９０６は、マウス、キーボード、タッチパネル、ボタン、マイク、スイッチおよびレバーなどユーザが情報を入力するための入力手段と、ユーザによる入力に基づいて入力信号を生成し、ＣＰＵ９０１に出力する入力制御回路などから構成されている。出力装置９０７は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置や、スピーカなどの音声出力装置を含む。
【００５２】
ストレージ装置９０８は、撮像装置１００の記憶部の一例であり、データ格納用の装置である。ストレージ装置９０８は、記憶媒体、記憶媒体にデータを記録する記録装置、記憶媒体からデータを読み出す読出し装置および記憶媒体に記録されたデータを削除する削除装置などを含んでもよい。ストレージ装置９０８は、例えば、ＨＤＤ（Ｈａｒｄ  Ｄｉｓｋ  Ｄｒｉｖｅ）で構成される。このストレージ装置９０８は、ハードディスクを駆動し、ＣＰＵ９０１が実行するプログラムや各種データを格納する。
【００５３】
ドライブ９０９は、記憶媒体用リーダライタであり、撮像装置１００に内蔵、あるいは外付けされる。ドライブ９０９は、装着されている磁気ディスク、光ディスク、光磁気ディスク、または半導体メモリ等のリムーバブル記録媒体に記録されている情報を読み出して、ＲＡＭ９０３に出力する。
【００５４】
接続ポート９１１は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。また、通信装置９１３は、例えば、通信網５に接続するための通信デバイス等で構成された通信インタフェースである。また、通信装置９１３は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００５５】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５６】
例えば、上記実施形態では、シーン毎に画質の構成要素を設定する場合について説明したが、本開示はかかる例に限定されない。例えば、複数のユーザついての各シーンの画質の好みを設定できるようにしてもよい。この場合、画質記憶部１０９には、ユーザ毎に各シーンの画質の設定情報を管理しておく。また、撮像装置１００の使用開始時に、当該装置のユーザ情報を入力させる。これにより、画像認識ブロック１０３は、画質記憶部１０９から認識したシーンに対応する設定情報を取得する際、撮像装置１００のユーザに対応する画質の設定情報を取得することができる。
【００５７】
また、上記実施形態では、撮像装置１００本体に、撮影するシーンを認識する画像認識ブロック１０３、画像処理ブロック１０４、およびシーン毎に画質を設定する画質設定部１０８や各シーンの画質の設定情報を記憶する画質記憶部１０９を設けている。しかし、本開示はかかる例に限定されず、これらの機能部のうち少なくとも１つは、撮像装置１００とは別体の情報処理装置に設け、処理の実行、情報の管理を行ってもよい。また、これらの機能部の処理を、ネットワークを介して通信可能なサーバで行い、当該サーバから処理結果を受信して、撮像装置１００側では処理結果に基づいて画像処理やカメラ制御を行ってもよい。
【００５８】
なお、以下のような構成も本開示の技術的範囲に属する。
（１）
認識可能な画像のシーン毎に、ユーザからの指示に応じて画質を設定する画質設定部と、
前記各シーンに対して設定された画質を記憶する画質記憶部と、
取得する画像のシーンを認識する画像認識部と、
認識されたシーンに対して、前記画質設定部により設定された画質に基づいて、前記画像を画像処理する画像処理部と、
を備える、画像処理装置。
（２）
前記画質設定部は、
認識可能な前記各シーンについて、少なくとも１つの画質の構成要素を設定する設定処理部と、
設定された画質で各シーンの代表画像を表示する設定処理部と、
からなる、前記（１）に記載の画像処理装置。
（３）
前記設定処理部は、
前記画質の構成要素について、設定値を変化させた複数の変更候補画像を表示し、
前記複数の変更候補画像から選択された前記変更候補画像の設定値を、当該画質の構成要素の設定値として決定する、前記（２）に記載の画像処理装置。
（４）
前記設定処理部は、２つの画質の構成要素の設定値を変化させた、複数の変更候補画像をマトリックス状に配置して表示する、前記（３）に記載の画像処理装置。
（５）
前記設定処理部は、前記構成要素設定部で設定された設定値に基づいて、リアルタイムで前記代表画像を更新する、前記（２）〜（４）のいずれか１項に記載の画像処理装置。
（６）
画像を撮影する撮像部をさらに備え、
前記画像処理部により画像処理される画像は、前記撮像部により撮影された画像である、前記（１）〜（５）のいずれか１項に記載の画像処理装置。
【符号の説明】
【００５９】
１０      レンズ
１００    撮像装置
１０１    撮像素子
１０２    Ａ／Ｄ変換部
１０３    画像認識ブロック
１０３ａ  シーン認識部
１０３ｂ  設定情報取得部
１０４    画像処理ブロック
１０５    表示部
１０６    カメラ制御ブロック
１０７    駆動制御部
１０８    画質設定部
１０８ａ  入力部
１０８ｂ  設定処理部
１０９    設定記憶部
【図１】
2013162436.tif 000003
【図２】
2013162436.tif 000004
【図３】
2013162436.tif 000005
【図４】
2013162436.tif 000006
【図５】
2013162436.tif 000007
【図６】
2013162436.tif 000008
【図７】
2013162436.tif 000009